(57)【要約】【課題】  本発明は高速データ転送に用いられ、且つIEEE 1394という転送規格に合致する電気コネクタを提供することを目的とする。【解決手段】  本発明の電気コネクタは絶縁本体と、複数の導電端子、内遮蔽ハウジング、外遮蔽ハウジング及び後遮蔽ハウジングとを含み、前記絶縁本体が基部と一対の当接板を有し、前記当接板に複数の端子収容溝が設けられる。内遮蔽ハウジングは前記絶縁本体の当接板の周囲に覆われて、前記内遮蔽ハウジングの後端に接続部が形成される。外遮蔽ハウジングは回路基板の接地回路と電気に接続され、絶縁本体の基部の周囲に覆われ、且つ、前方に向けて形成され、後遮蔽ハウジングは前記内遮蔽ハウジングの接続部と当接し、且つ、前記外遮蔽ハウジングと電気に接続し、接地回路のレイアウトを簡単にする。【選択図】  図３
2004281376.tif 000002
【特許請求の範囲】
【請求項１】
回路基板に設置され相手側電気コネクタと挿接することに用いられる電気コネクタであって、
基部を有し、該基部から前へ延伸され平行に設置される１対の当接板が形成され、該当接板に複数の端子収容溝が設けられ、当該端子収容溝は後方へ延伸され前記基部を貫通する絶縁ハウジングと、
前記端子収容溝に対応して収容され、当接部と、該当接部から後方へ延伸される固着部と、該固着部と接続する接合部と、を含む複数の導電端子と、
前記絶縁ハウジングの当接板の外囲に遮蔽され、内部に第１収容空間が形成され、後端に接続部が形成される内遮蔽ハウジングと、
回路基板の接地回路と電気的に接続され、前記絶縁ハウジングの基部の外囲に遮蔽され且つ前方へ延伸し形成され、前記内遮蔽ハウジングとの間に第２収容空間が形成され、該第１空間及び第２収容空間は相手側電気コネクタの当接部分を組み込むことに用いられる外遮蔽ハウジングと、
前記内遮蔽ハウジングの接続部と接触され、前記外遮蔽ハウジングと電気的に接続される後遮蔽ハウジングと、
を備えることを特徴とする電気コネクタ。
【請求項２】
前記電気コネクタは高速データ転送に用いられ、且つIEEE 1394という転送規格に合致するソケットコネクタであることを特徴とする請求項１に記載の電気コネクタ。
【請求項３】
前記内遮蔽ハウジングは直立に設置される両側壁と、水平に設置され両側壁と一体に接続する頂壁及び底壁と、を含み、該両側壁、頂壁及び底壁は後方へ延伸され絶縁ハウジングの基部に収容される板状位置決め部が形成されていることを特徴とする請求項１に記載の電気コネクタ。
【請求項４】
前記内遮蔽ハウジングの両側壁に設けられる位置決め部は後方へ延伸され細長いアーム部が形成され、前記接続部は指状に形成され該アーム部の後端底部から上方へ延伸し形成されていることを特徴とする請求項３に記載の電気コネクタ。
【請求項５】
前記絶縁ハウジングの基部から後方へ延伸され１対のアーム部が形成され、該１対のアームの間に空洞が形成されていることを特徴とする請求項４に記載の電気コネクタ。
【請求項６】
前記電気コネクタは更に前記空洞に位置決めされる支持具を含み、該支持具は直方体状の基部を有し、該基部は下方へ延伸され端子の接合部を固着し位置決めする歯状表面を有する板状突出部が形成されていることを特徴とする請求項５に記載の電気コネクタ。
【請求項７】
前記絶縁ハウジングのアーム部の相対する両内側壁に係合溝が形成され、支持具の基部の両側に前記係合溝と係合する係合ブロックが形成されていることを特徴とする請求項６に記載の電気コネクタ。
【請求項８】
前記絶縁ハウジングの係合溝は直立に設置される第１係合溝及び水平に設置される第２係合溝を含み、前記支持具の係合ブロックは第１係合溝と係合し直立に設置される第１係合ブロック及び第２係合溝と係合し水平に設置される第２係合ブロックを含んでいることを特徴とする請求項７に記載の電気コネクタ。
【請求項９】
前記絶縁ハウジングのアーム部の後端の空洞に隣接し相対する両内側壁に前後に延伸されるスロットが形成され、前記内遮蔽ハウジングのアーム部は該スロットに収容され、内遮蔽ハウジングの接続部の末端は該スロットから露出していることを特徴とする請求項５に記載の電気コネクタ。
【請求項１０】
前記後遮蔽ハウジングは平板状の主本体部を有し、該主本体部の両側に係合アームが前方へ延伸し形成され、該係合アームに係合部が設けられ、外遮蔽ハウジングの後端の両側に前記係合部と係合する係合孔が形成されていることを特徴とする請求項９に記載の電気コネクタ。
【請求項１１】
前記内遮蔽ハウジングのスロットから露出される接続部の末端は後遮蔽ハウジングの前記主本体部に押えられていることを特徴とする請求項１０に記載の電気コネクタ。
【請求項１２】
前記外遮蔽ハウジングの後端に直立に設置され回路基板の接地回路と電気的に接続する接地片が延伸し設けられていることを特徴とする請求項１に記載の電気コネクタ。
【発明の詳細な説明】
【技術分野】
【０００１】
本発明は一種の電気コネクタに関し、特に、高速データ転送に用いられ、且つIEEE 1394という転送規格に合致するソケットコネクタに関するものである。
【背景技術】
【０００２】
IEEE 1394コネクタというのは米国電気電子技術者学会（Institute of Electrical and Electronics Engineers; IEEE）によって策定される直列高速シリーズバス規格に合致する電気コネクタであり、ハードディスク及び光ディスクのような大容量記憶装置のインタフェースとして用いられ、また、プリンタ及びスキャナのようなコンピューター周辺機器に応用され、ディジタルテレビ、及び撮像デバイスのような消費類電子産品に応用される。それ以後、IEEE 1394-1995規格及びIEEE 1394a規格のコネクタは転送スピード及び性能が向上された。最近、高速、長距離版のIEEE 1394b規格のコネクタがまた使われ、且つ、前記規格が1394規格の改善であって、且つ、IEEE 1394-1995規格及びIEEE 1394a規格のコネクタの性能を全て含み、転送スピードは800Mbpsに達し、且つ、長さが800メートルで伝送スピードが少なくとも100MbpsであるUTP-5と、プラスチック光ファイバーと、ガラス光ファイバーの長距離の転送を支持している。
【０００３】
IEEE 1394b規格に合致する高速データ転送の前記コネクタにとって、電磁気の干渉を防止する能力が特に重要である。それで、前記電気コネクタはふつう電磁気の干渉を防止するために内、外の二層の遮蔽ハウジングが設けられ、遮蔽ハウジングが接地すると、速やかに遮蔽ハウジングの電荷が放出されるので、電磁気の干渉を防止する能力が強められる。外遮蔽ハウジングに接地部材が容易に設置され、外遮蔽ハウジングの底部から接地片を伸ばしさえすれば回路基板の接地回路と接続できる。しかし、内遮蔽ハウジングは電気コネクタの中央に設けられ、且つ、その上に接地部材が設けられるので、内遮蔽ハウジングを接地させることが難しい。関連する技術は特許文献１と２を参照し、その接地片は内遮蔽ハウジングの中から延び、しかし、内遮蔽ハウジングの筐体が電気コネクタの外部に露出される部分はないので、前記接地片で内遮蔽ハウジングの押圧成型と曲げの難しさが増え、且つ、接地片と内遮蔽ハウジングの接続した所は容易に折れる。また、内遮蔽ハウジングと外遮蔽ハウジングにも回路基板に接合される接地片が設けられるので、回路基板にも複数の接地点が設けられることが必要であって、それで、回路基板の回路のレイアウトは複雑になる。
【０００４】
また、関連する技術は特許文献３を参照し、絶縁本体に収容され且つ内遮蔽ハウジングと押圧する接地部材は別に製造するのであって、しかし、内遮蔽ハウジングの押圧成型の難しい問題と、接地片と内遮蔽ハウジングの接続した所の折れ易い技術問題を解決している。しかし、前記方式に回路基板にも複数の接地点が設けられることによって、回路基板の回路のレイアウトが複雑になるような欠点がまだある。また、前記接地部材を別に製造することが必要であるので、金型の開発のコストが増える。
【０００５】
それで、従来技術の欠点を克服するために前記の電気コネクタを改良することが必要である。
【特許文献１】米国特許第６２８０２０９号明細書
【特許文献２】米国特許第６３１５２０８号明細書
【特許文献３】米国特許第６４８２０３７号明細書
【発明の開示】
【発明が解決しようとする課題】
【０００６】
本発明は一種の接地方式が電気コネクタの回路基板の接地点を減少させ、接地回路のレイアウトを簡単にさせる電気コネクタを提供することを目的とする。
【０００７】
本発明は一種の製造の過程が簡単で、回路基板に半田付けされる難しさが減少する電気コネクタを提供することをもう一つの目的とする。
【課題を解決するための手段】
【０００８】
前記の目的を達成するために、本発明の電気コネクタは絶縁本体と、複数の導電端子、内遮蔽ハウジング、外遮蔽ハウジング及び後遮蔽ハウジングとを含み、前記絶縁本体に基部が設けられ、基部から前に向けて平行に配置される一対の当接板に延び、前記当接板に複数の端子収容溝が設けられる。複数の導電端子は前記の対応の端子収容溝に収容され、どの導電端子でも当接部と、前記当接部から後に向けて延びる固着部と、固着部と接続する接合部とを有する。内遮蔽ハウジングは前記絶縁本体の当接板の周囲に覆われて、その内に第一収容空間が形成され、前記内遮蔽ハウジングの後端に接続部が形成される。外遮蔽ハウジングは回路基板の接地回路と電気的に接続され、絶縁本体の基部の周囲に覆われ、且つ、前方に向けて形成され、前記内、外遮蔽ハウジングの間に第二収容空間が形成され、前記第１収容空間と第２収容空間の中に当接コネクタの当接部分が入れられる。後遮蔽ハウジングは前記内遮蔽ハウジングの接続部と当接し、且つ、前記外遮蔽ハウジングと電気的に接続する。
【発明の効果】
【０００９】
従来の技術に比較して、本発明の電気コネクタは以下の効果を有する。外遮蔽ハウジングは回路基板に半田付けされた接地片が設けられるので、回路基板の接地回路と電気に通じることができ、内、外遮蔽ハウジングは後遮蔽ハウジングによって電気的に通じる。それで、内遮蔽ハウジングに回路基板の接地点に半田付けされる接地片が設けられなくても接地できるので、電気コネクタを回路基板に設けられる半田付けの難しさが減少し、製造の過程を簡単にするとともに、回路基板の接地点を減少させ、接地回路のレイアウトを簡単にさせる。
【発明を実施するための最良の形態】
【００１０】
図１〜図３を参照し、本発明の電気コネクタは高速データ転送に用いられ、且つIEEE 1394bという転送規格に合致するソケットコネクタであって、絶縁本体１と、複数の導電端子５と、内遮蔽ハウジング２と、外遮蔽ハウジング３と、支持具４及び後遮蔽ハウジング６とを含む。
【００１１】
前記絶縁本体１は電気コネクタの中央に設けられる基部１３を有し、前記基部１３から前に向けて延び、平行に設けられた一対の当接板１１１と１１２に形成され、下方に位置する第１当接板１１１の上表面と上方に位置する第２当接板１１２の下表面にそれぞれ複数の端子収容溝１２が設けられ、前記端子収容溝１２は後に延び、且つ、前記基部１３を貫通する。第２当接板１１２の中部から後に向けて延び、基部１５が形成される。基部１５の上部の両端からそれぞれ後に向けて延び、第１アーム部１４に形成され、第１アーム部１４の相対する両内側壁にも垂直に設けられる第１係合溝１４１と水平に設けられる第２係合溝１４２が形成され、且つ、両第１アーム部１４の間に前記支持具４を収容する空洞１７が形成される。第１アーム部１４の後端の空洞１７に近接しての相対する両内側壁にそれぞれ前後に向けて延びるスロット１４３が設けられる。基部１５の頂部の両側から外、前に向けてそれぞれ延び、第２アーム部１６が形成される。第１アーム部１４の下表面の前記スロット１４３の下方に位置する所に下に延び、位置決め柱１８が形成される。
【００１２】
導電端子５は上、下の両層に設けられ、当接電気コネクタの対応の端子（図示せず）と接触し合う当接部５１と、前記当接部５１から後に延びる固着部５２と、固着部５２から後に向けて二度曲げられてから水平に延びる接合部５３とを備える。本発明の中で、前記接合部５３は表面実装技術（ＳＭＴ）によって回路基板に半田付けされる。前記当接部５１が当接板１１１と１１２の対応の端子収容溝１２の中に収容され、固着部５２が基部１３の対応の端子収容溝１２の内に固定される。それで、導電端子５は絶縁本体１の内に固定される。
【００１３】
内遮蔽ハウジング２と外遮蔽ハウジング３は金属の部材で一体に形成されるのであって、その中、内遮蔽ハウジング２は当接板１１１、１１２の周囲に被せ、垂直に設けられる両側壁と水平に設けられ且つ両側壁２１と一体に接続した頂壁２２及び底壁２３とを含み、両側壁２１と頂壁２２と底壁２３が後に向けて延び、絶縁本体１の基部１３の対応の溝（図示せず）の中に収容され、その中、位置決め部２１１、２３１の両側に複数の短小突起部２００が形成され、基部に収容される時の固定する効果を強めさせる。当接板１１１、１１２と両側壁２１の間に第１収容空間７が形成される。前記位置決め部２１１は後に向けて続いて延び、絶縁本体１の第１アーム１４を収容し且つスロット１４３の内に設けられるストリップのアーム２１２が形成され、アーム２１２後端の底部は傾斜して上に向けて延び、指状の接続部２１３が形成される。
【００１４】
外遮蔽ハウジング３は基部１３の周囲に被せ且つ前に向けて延びて形成され、外遮蔽ハウジング３と内遮蔽ハウジング２の間に第２収容空間８が形成される。前記外遮蔽ハウジング３に垂直に設けられる両側壁３２と水平に設けられ且つ両側壁と接続する頂壁３３と底壁３４を含み、両側壁３２の後端の頂壁３３に近い所に係合穴３２１が形成され、係合穴３２１の前方に下に向け且つ二度曲げてから垂直に設けられる接地片３１が形成られ、回路基板にの対応の接地回路と接合させる。前記内遮蔽ハウジング２の両側壁２１に後から前に且つ外に向けて曲げて延び且つ一部が第２収容空間８の内に収容される指状弾性片２４が形成され、外遮蔽ハウジング３の両側壁３２に内遮蔽ハウジング２の指状弾性片２４と対応した所に二つの指状弾性片３５が設けられ、それは前から後に内に向けて曲げて延び且つ一部が第２収容空間８の内に収容され、前記指状弾性片２４、３５は当接電気コネクタ（図示せず）を挿す時、当接電気コネクタの当接部分と圧接し、良好に定位させることに使われる。
【００１５】
前記支持具４に矩形の枠体の基部４１を有し、前記基部４１の両側にそれぞれ前記第１係合溝１４１と結合して垂直に設けられる第１係合ブロック４１１と、前記第２係合溝１４２と結合して水平に設けられる第２係合ブロック４１２が形成され、対応の係合溝と係合ブロックの結合によって支持具４を空洞１７の内に定位させる。また、前記支持具４の基部４１に下に向けて円歯状の表面の板状の突起部４１３が形成され、前記端子５の接合部５３に対する支持と位置決めを提供する。
【００１６】
前記後遮蔽ハウジング６に平板状の主本体部６１を有し、前記主本体部６１の両側に前に向けて延びる固定アーム６２が形成され、固定アーム６２にも前記外遮蔽ハウジング３の係合穴と結合して外遮蔽ハウジング３に設けられる係合部６３が設けられ、前記係合部６３は本発明の実施例の中で楔形の突起あるいは前から後に延びる弾性片である。
【００１７】
取り付ける時、導電端子５を後から前に向けて前記絶縁本体１の端子収容溝１２の内に設けさせ、内遮蔽ハウジング２を前から後に向けて絶縁本体１の内に設けられ、その接続部２１３の末端は絶縁本体１の第１アーム部１４の後表面の外面に露出され、支持具４は上から下に前記空洞１７の内に取り付けられ、端子５の接合部５３は支持具４の突起部４１３の円歯状の表面に定位され、その後、外遮蔽ハウジング３が前から後に取り付けられ、外遮蔽ハウジング３の底壁３４の後端は絶縁本体１の筐体部１５に押圧され、最後、後遮蔽ハウジング６は外遮蔽ハウジング３に取り付けられ、こうして、内遮蔽ハウジング２の接続部２１３の末端は後遮蔽ハウジング６の主本体部６１にちょうど押圧され、外遮蔽ハウジング３の電気に接続することを実現する。
【００１８】
図１を参照し、取り付けられた電気コネクタが回路基板に取り付けられる時、板型の構造であって、絶縁本体１の第２アーム部１６は回路基板に押圧され、電気コネクタに対する支持を提供し、位置決め柱１８は回路基板に対応の穴の中に挿され、位置決めの作用を提供し、それで、電気コネクタの大部分を回路基板の下方に位置させる。
【００１９】
外遮蔽ハウジング３に回路基板が半田付けされ、回路基板の接地回路と電気的に通じさせる接地片が設けられ、内、外遮蔽ハウジング２、３はあと遮蔽ハウジング６によって電気に通じさせ、それで、内遮蔽ハウジング３に回路基板の接地点に半田付けた接地片が設けられなくても、接地できるので、電気コネクタを回路基板に取り付ける半田付けの難しさが減少され、製造の過程を簡単にするとともに、回路基板の接地点を減少させるによって接地回路のレイアウトを簡単にさせる。
【００２０】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００２１】
本発明は一種の電気コネクタに関し、特に、高速データ転送に用いられ、且つIEEE 1394という転送規格に合致するソケットコネクタに関するものである。
【図面の簡単な説明】
【００２２】
【図１】本発明の電気コネクタの斜視図である。
【図２】本発明の電気コネクタの正面図である。
【図３】本発明の電気コネクタの分解斜視図である。
【符号の説明】
【００２３】
１  絶縁ハウジング
２  内遮蔽ハウジング
３  外遮蔽ハウジング
４  支持具
５  導電端子
６  後遮蔽ハウジング
７  第１収容空間
８  第２収容空間
１２  端子収容溝
１３、４１  基部
１４  第１アーム部
１５  筐体
１６  第２アーム部
１７  空洞
１８  位置決め柱
２１、３２  側壁
２２、３３  頂壁
２３、３４  底壁
２４、３５  指状弾性片
３１  接地片
５１  当接部
５２  固着部
５３  接合部
６１  主本体部
６２  係合アーム
６３  係合部
１１１  第１当接板
１１２  第２当接板
１１３  凸部
１４１  第１係合溝
１４２  第２係合溝
１４３  スロット
２００  短小突起部
２１１、２２１、２３１  位置決め部
２１２  アーム部
２１３  接続部
３２１  係合孔
４１１  第１係合ブロック
４１２  第２係合ブロック
４１３  突出部
【図１】
2004281376.tif 000003
【図２】
2004281376.tif 000004
【図３】
2004281376.tif 000005